【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
コンピュータ装置によって実行される方法であって、
カメラからビデオストリームを受信することと、
前記ビデオストリームをディスプレイ上に表示することと、
アイトラッキングセンサを介して、前記ディスプレイを見ているオペレータの注視情報を取得することと、
前記取得された注視情報に基づいて、ある時間間隔の前記ビデオストリームに対する履歴注視ヒートマップを生成することと、を含み、
前記履歴注視ヒートマップを生成することは、前記時間間隔の前記ビデオストリーム内の各位置に前記オペレータの注視点がどれくらいの頻度で出現したかを示す各位置の値と、前記注視情報が収集された時刻または曜日を特定する追加情報とを生成することを含み、
前記時間間隔は１日よりも長く、
前記方法は、
前記生成された履歴注視ヒートマップに基づいて、前記オペレータが単位時間当たりに閾値未満の回数しか見ない位置、または、前記オペレータが前記ビデオストリームを見ている総時間のうちの閾値パーセンテージ未満の時間しか見ない位置を決定することによって、前記ビデオストリームの低関心エリアを決定することを含み、
前記生成された履歴注視ヒートマップに基づいて前記ビデオストリームの前記低関心エリアを決定することは、
第１の時刻または曜日に対して前記第１の時刻または曜日の複数のインスタンスにわたって生成される履歴注視ヒートマップの第１のサブセットに基づいて、前記第１の時刻または曜日に対する第１のエリアを第１の低関心エリアとして決定することと、
前記第１の時刻または曜日とは異なる第２の時刻または曜日に対して前記第２の時刻または曜日の複数のインスタンスにわたって生成される履歴注視ヒートマップの第２のサブセットに基づいて、前記第２の時刻または曜日に対する第２のエリアを第２の低関心エリアとして決定することと、を含み、
前記第２の低関心エリアは、前記第１の低関心エリアとは異なり、
前記方法は、
前記第１の時刻または曜日の前記第１の低関心エリアおよび前記第２の時刻または曜日の前記第２の低関心エリアにおける前記ビデオストリームのビットレートを減少させるように前記カメラに命令することを含む方法。
【請求項２】
前記生成された履歴注視ヒートマップに基づいて前記ビデオストリームの高関心エリアを決定することと、
前記高関心エリアにおける前記ビデオストリームのビットレートを増加させるようにカメラに命令することと、をさらに含む請求項１に記載の方法。
【請求項３】
前記生成された履歴注視ヒートマップに基づいて前記ビデオストリームの低関心エリアを決定することは、
前記カメラのパン、ズーム、チルト、回転、または画像タイプの設定を特定することと、
前記カメラの前記特定されたパン、ズーム、チルト、回転、または画像タイプの設定に関連付けられた前記生成された履歴注視ヒートマップのサブセットを選択することと、
前記生成された履歴注視ヒートマップの前記選択されたサブセットに基づいて、前記ビデオストリームの前記低関心エリアを決定することと、を含む請求項１または２に記載の方法。
【請求項４】
前記ビデオストリームは複数のビデオストリームを含み、前記ディスプレイは複数のディスプレイを含む請求項１〜３のいずれか一項に記載の方法。
【請求項５】
前記低関心エリアにおけるビデオストリームのビットレートを減少させるように前記カメラに命令することは、
前記低関心エリアに関連付けられたセンサのサンプリングレートを低減させるように前記カメラに命令することを含む請求項１〜４のいずれか一項に記載の方法。
【請求項６】
前記低関心エリアにおけるビデオストリームのビットレートを減少させるように前記カメラに命令することは、
前記ビデオストリームを符号化する前に前記低関心エリアに対するノイズ低減プロセスを増加させるように前記カメラに命令することを含む請求項１〜５のいずれか一項に記載の方法。
【請求項７】
前記低関心エリアにおけるビデオストリームのビットレートを減少させるように前記カメラに命令することは、
前記低関心エリアに関連付けられた符号化処理ユニットの符号化パラメータを調整するよう前記カメラに命令することを含む請求項１〜６のいずれか一項に記載の方法。
【請求項８】
命令を格納するためのメモリと、
カメラからビデオストリームを受信する受信機と、
前記ビデオストリームを表示するディスプレイと、
前記命令を実行して、
アイトラッキングセンサを介して、前記ディスプレイを見ているオペレータの注視情報を取得し、
前記取得された注視情報に基づいて、ある時間間隔のビデオストリームに対する履歴注視ヒートマップを生成し、
前記履歴注視ヒートマップを生成することは、前記時間間隔の前記ビデオストリーム内の各位置に前記オペレータの注視点がどれくらいの頻度で出現したかを示す各位置の値と、前記注視情報が収集された時刻または曜日を特定する追加情報とを生成することを含み、
前記時間間隔は１日よりも長く、
前記生成された履歴注視ヒートマップに基づいて、前記オペレータが単位時間当たりに閾値未満の回数しか見ない位置、または、前記オペレータが前記ビデオストリームを見ている総時間のうちの閾値パーセンテージ未満の時間しか見ない位置を決定することによって、前記ビデオストリームの低関心エリアを決定し、
前記生成された履歴注視ヒートマップに基づいて前記ビデオストリームの前記低関心エリアを決定することは、
第１の時刻または曜日に対して前記第１の時刻または曜日の複数のインスタンスにわたって生成される履歴注視ヒートマップの第１のサブセットに基づいて、前記第１の時刻または曜日に対する第１のエリアを第１の低関心エリアとして決定することと、
前記第１の時刻または曜日とは異なる第２の時刻または曜日に対して前記第２の時刻または曜日の複数のインスタンスにわたって生成される履歴注視ヒートマップの第２のサブセットに基づいて、前記第２の時刻または曜日に対する第２のエリアを第２の低関心エリアとして決定することと、を含み、
前記第２の低関心エリアは、前記第１の低関心エリアとは異なり、
前記第１の時刻または曜日の前記第１の低関心エリアおよび前記第２の時刻または曜日の前記第２の低関心エリアにおける前記ビデオストリームのビットレートを減少させるように前記カメラに命令することを決定するように構成されたプロセッサと、
前記低関心エリアにおけるビデオストリームのビットレートを減少させる命令を前記カメラへ送信する送信機と、を含むコンピュータシステム。
【請求項９】
前記プロセッサはさらに、前記生成された履歴注視ヒートマップに基づいて前記ビデオストリームの高関心エリアを決定するように構成され、
前記プロセッサは、前記高関心エリアにおける前記ビデオストリームのビットレートを増加させるよう前記カメラに命令することを決定するように構成され、
送信機は、前記高関心エリアにおける前記ビデオストリームのビットレートを増加させる命令を前記カメラへ送信するように構成される請求項８に記載のコンピュータシステム。
【請求項１０】
前記プロセッサはさらに、
前記カメラのパン、ズーム、チルト、回転、または画像タイプの設定を特定し、
前記カメラの前記特定されたパン、ズーム、チルト、回転、または画像タイプの設定に関連付けられた前記生成された履歴注視ヒートマップのサブセットを選択し、
前記生成された履歴注視ヒートマップの前記選択されたサブセットに基づいて、前記ビデオストリームの前記低関心エリアを決定するように構成される請求項８または９に記載のコンピュータシステム。
【請求項１１】
前記プロセッサは、前記低関心エリアに関連付けられたセンサのサンプリングレートを低減させるように前記カメラに命令することを決定するように構成され、
前記低関心エリアにおける前記ビデオストリームのビットレートを減少させる前記命令は、前記低関心エリアに関連付けられたセンサのサンプリングレートを低減させる、カメラへの命令を含む請求項８〜１０のいずれか一項に記載のコンピュータシステム。
【請求項１２】
前記プロセッサはさらに、前記ビデオストリームを符号化する前に前記低関心エリアに対するノイズ低減プロセスを増加させるように前記カメラに命令することを決定するように構成され、
前記低関心エリアにおける前記ビデオストリームのビットレートを減少させる前記命令は、前記ビデオストリームを符号化する前に前記低関心エリアに対するノイズ低減プロセスを増加させる命令を含む請求項８〜１１のいずれか一項に記載のコンピュータシステム。
【請求項１３】
前記プロセッサは、前記低関心エリアに関連付けられた符号化処理ユニットの符号化パラメータを調整するようにカメラに命令することを決定するように構成され、
前記低関心エリアにおける前記ビデオストリームのビットレートを減少させる前記命令は、前記低関心エリアに関連付けられた前記符号化処理ユニットのための前記符号化パラメータを調整する命令を含む請求項８〜１２のいずれか一項に記載のコンピュータシステム。